(57)【要約】  【課題】容器内に添加物を添加するかどうかをユーザーが選択することが可能な容器キャップを提供する。  【解決手段】容器キャップは、上面が閉じた円筒状の本体部と、前記本体部の内側上部に設けられ、添加物を格納する格納部と、前記格納部の底部に開閉可能に設けられた扉部と、前記格納部内で、前記本体部の上側壁の下面に前記扉部に向かって伸びるように立設されたロッド部と、を備え、前記上側壁に設けられた押圧領域が押圧されることで前記ロッド部が下方に移動し、前記ロッド部の先端部が前記扉部を押下することで前記扉部が下方に開かれる。【選択図】図６
2019043585.tif 000002
【特許請求の範囲】
【請求項１】
上面が閉じた円筒状の本体部と、
前記本体部の内側上部に設けられ、添加物を格納する格納部と、
前記格納部の底部に開閉可能に設けられた扉部と、
前記格納部内で、前記本体部の上側壁の下面に前記扉部に向かって伸びるように立設されたロッド部と、を備え、
前記上側壁に設けられた押圧領域が押圧されることで前記ロッド部が下方に移動し、前記ロッド部の先端部が前記扉部を押下することで前記扉部が下方に開かれる
容器キャップ。
【請求項２】
請求項１に記載の容器キャップであって、
前記押圧領域は、前記上側壁の他の領域よりも薄肉に形成されており、
前記ロッド部は、前記押圧領域に立設されている
容器キャップ。
【請求項３】
請求項２に記載の容器キャップであって、
前記本体部の上面に回動可能に設けられた回転部と、
前記回転部の下面に設けられた凸部と、を備え、
前記回転部が所定位置から回転して前記凸部が前記押圧領域に嵌り込むことで前記押圧領域が押圧される
容器キャップ。
【請求項４】
請求項３に記載の容器キャップであって、
前記本体部の上面に設けられた凹部を備え、
前記回転部が所定位置にあるとき前記凸部が前記凹部に嵌合している
容器キャップ。
【請求項５】
請求項１〜４のいずれか一項に記載の容器キャップであって、
前記容器キャップが容器の口部に締められ、かつ、前記押圧領域が押圧されていない第１の状態では、前記扉部の端部は、前記格納部に設けられた係止部に係止され、
前記容器キャップが前記容器の口部に締められ、かつ、前記押圧領域の押圧によって前記扉部が押圧された第２の状態では、前記扉部の端部は、前記係止部への係止が解除された後、前記容器の口部の内側面に引っ掛かって係止され、
前記容器キャップが前記容器の口部から緩められて上方に移動した第３の状態では、前記扉部の端部は、前記容器の口部の内側面への係止が解除され、前記扉部は、開かれる
容器キャップ。
【請求項６】
請求項１〜４のいずれか一項に記載の容器キャップであって、
前記本体部の外周壁の内側に、前記格納部の底部に設けられた内周壁と、
前記格納部の底部に前記本体部の径方向に移動可能に設けられ、外側端部が前記内周壁に設けられた貫通孔に挿入され、内側端部が前記扉部の下方に位置する係合部と、を備え、
前記容器キャップが容器の口部に締められ、かつ、前記押圧領域が押圧されていない第１の状態では、前記扉部の端部は、前記格納部に設けられた係止部に係止され、
前記容器キャップが前記容器の口部に締められ、かつ、前記押圧領域の押圧によって前記扉部が押圧された第２の状態では、前記扉部の端部は、前記係止部への係止が解除された後、前記係合部の内側端部によって係止され、前記係合部の外側端部は、前記貫通孔を通じて前記容器の口部の内側面に当接して外側方向への移動が制限され、
前記容器キャップが前記容器の口部から緩められて上方に移動し、かつ、前記貫通孔が前記容器の口部の上端面よりも高い第３の状態では、前記係合部の外側端部は、前記貫通孔を通じて外側方向へ移動し、前記扉部の端部は、前記係合部の内側端部への係止が解除され、前記扉部は、開かれる
容器キャップ。
【請求項７】
請求項１〜４のいずれか一項に記載の容器キャップであって、
前記本体部の外周壁の内側に、前記格納部の底部に設けられた内周壁と、
前記扉部の端部に設けられ、先端部が前記内周壁に設けられた上下方向のスリットに挿入される係合部と、を備え、
前記容器キャップが容器の口部に締められ、かつ、前記押圧領域が押圧されていない第１の状態では、前記係合部の先端部は、前記スリットを通じて前記容器の口部の内側面に係止され、前記扉部の端部は、前記格納部に設けられた係止部に係止され、
前記容器キャップが前記容器の口部に締められ、かつ、前記押圧領域の押圧によって前記扉部が押圧された第２の状態では、前記係合部の先端部は、前記容器の口部の内側面に係止され、前記扉部の端部は、前記格納部に設けられた前記係止部に係止され、
前記容器キャップが前記容器の口部から緩められて上方に移動した第３の状態では、前記扉部は、前記格納部の前記係止部への係止が解除された後、開かれ、前記係合部の先端部は、前記容器の口部の内側面へ係止されたままであり、
前記容器キャップが前記容器の口部から緩められてさらに上方に移動した第４の状態では、前記係合部の先端部は、前記容器の口部の内側面への係止が解除され、前記扉部は、さらに開かれる
容器キャップ。
【請求項８】
請求項１〜４のいずれか一項に記載の容器キャップであって、
前記格納部は、複数の部屋に区切られており、
前記扉部、前記ロッド部、及び前記押圧領域は、前記各部屋に対応して設けられる
容器キャップ。
【請求項９】
請求項２に記載の容器キャップであって、
前記押圧領域の周囲の前記他の領域への接続部の少なくとも一部は、前記本体部の上面よりも低く形成されており、
前記押圧領域の中央部は、上方に隆起するように形成されている
容器キャップ。
【請求項１０】
請求項３又は４に記載の容器キャップであって、
前記格納部は、複数の部屋に区切られており、
前記扉部、前記ロッド部、及び前記押圧領域は、前記各部屋に対応して設けられており、
前記回転部が回転することで前記凸部がいずれかの前記部屋に対応する前記押圧領域を押圧する
容器キャップ。
【請求項１１】
請求項３又は４に記載の容器キャップであって、
前記格納部は、複数の部屋に区切られており、
前記扉部、前記ロッド部、前記押圧領域、及び前記凸部は、前記各部屋に対応して設けられており、
前記回転部が回転することで前記各凸部が前記各部屋に対応する前記押圧領域を押圧する
容器キャップ。
【請求項１２】
請求項３又は４のいずれか一項に記載の容器キャップであって、
前記回転部の外周に設けられた取っ手部
を備える容器キャップ。
【請求項１３】
請求項１２に記載の容器キャップであって、
前記本体部の外周に設けられた係止部を備え、
前記回転部が回転して前記取っ手部が前記係止部に接することで、前記回転部の回動が制限される
容器キャップ。
【発明の詳細な説明】
【技術分野】
【０００１】
本発明は、ペットボトルなどの容器に封をするための容器キャップに関する。
【背景技術】
【０００２】
特許文献１には、メインキャップの開栓回転に伴う上昇により原料収容部の下端開口部分とボトムシールキャップとの嵌合が外れ、ボトムシールキャップが原料収容部の下端開口を開封する、ボトルキャップについて記載されている。
【先行技術文献】
【特許文献】
【０００３】
【特許文献１】特開２０１４−０９４７７９号公報
【発明の概要】
【発明が解決しようとする課題】
【０００４】
しかしながら、特許文献１のボトルキャップでは、ユーザーによるメインキャップの開栓回転動作に伴って必ずボトムシールキャップが開封され、原料が原料収容部からボトル内に放出されてしまう。そのため、ユーザーは、そもそも原料をボトル内に放出しないことを選択する余地がない。
【０００５】
本発明は、容器内に添加物を添加するかどうかをユーザーが選択することが可能な容器キャップを提供することを目的とする。
【課題を解決するための手段】
【０００６】
本発明の一態様は、容器キャップであって、上面が閉じた円筒状の本体部と、前記本体部の内側上部に設けられ、添加物を格納する格納部と、前記格納部の底部に開閉可能に設けられた扉部と、前記格納部内で、前記本体部の上側壁の下面に前記扉部に向かって伸びるように立設されたロッド部と、を備え、前記上側壁に設けられた押圧領域が押圧されることで前記ロッド部が下方に移動し、前記ロッド部の先端部が前記扉部を押下することで前記扉部が下方に開かれる。
【０００７】
上記の容器キャップにおいて、前記押圧領域は、前記上側壁の他の領域よりも薄肉に形成されており、前記ロッド部は、前記押圧領域に立設されていてもよい。
【０００８】
上記のいずれかの容器キャップにおいて、前記本体部の上面に回動可能に設けられた回転部と、前記回転部の下面に設けられた凸部と、を備え、前記回転部が所定位置から回転して前記凸部が前記押圧領域に嵌り込むことで前記押圧領域が押圧されてもよい。
【０００９】
上記のいずれかの容器キャップにおいて、前記本体部の上面に設けられた凹部を備え、前記回転部が所定位置にあるとき前記凸部が前記凹部に嵌合していてもよい。
【００１０】
上記のいずれかの容器キャップにおいて、前記容器キャップが容器の口部に締められ、かつ、前記押圧領域が押圧されていない第１の状態では、前記扉部の端部は、前記格納部に設けられた係止部に係止され、前記容器キャップが前記容器の口部に締められ、かつ、前記押圧領域の押圧によって前記扉部が押圧された第２の状態では、前記扉部の端部は、前記係止部への係止が解除された後、前記容器の口部の内側面に引っ掛かって係止され、前記容器キャップが前記容器の口部から緩められて上方に移動した第３の状態では、前記扉部の端部は、前記容器の口部の内側面への係止が解除され、前記扉部は、開かれてもよい。
【００１１】
上記のいずれかの容器キャップにおいて、前記本体部の外周壁の内側に、前記格納部の底部に設けられた内周壁と、前記格納部の底部に前記本体部の径方向に移動可能に設けられ、外側端部が前記内周壁に設けられた貫通孔に挿入され、内側端部が前記扉部の下方に位置する係合部と、を備え、前記容器キャップが容器の口部に締められ、かつ、前記押圧領域が押圧されていない第１の状態では、前記扉部の端部は、前記格納部に設けられた係止部に係止され、前記容器キャップが前記容器の口部に締められ、かつ、前記押圧領域の押圧によって前記扉部が押圧された第２の状態では、前記扉部の端部は、前記係止部への係止が解除された後、前記係合部の内側端部によって係止され、前記係合部の外側端部は、前記貫通孔を通じて前記容器の口部の内側面に当接して外側方向への移動が制限され、前記容器キャップが前記容器の口部から緩められて上方に移動し、かつ、前記貫通孔が前記容器の口部の上端面よりも高い第３の状態では、前記係合部の外側端部は、前記貫通孔を通じて外側方向へ移動し、前記扉部の端部は、前記係合部の内側端部への係止が解除され、前記扉部は、開かれてもよい。
【００１２】
上記のいずれかの容器キャップにおいて、前記本体部の外周壁の内側に、前記格納部の底部に設けられた内周壁と、前記扉部の端部に設けられ、先端部が前記内周壁に設けられた上下方向のスリットに挿入される係合部と、を備え、前記容器キャップが容器の口部に締められ、かつ、前記押圧領域が押圧されていない第１の状態では、前記係合部の先端部は、前記スリットを通じて前記容器の口部の内側面に係止され、前記扉部の端部は、前記格納部に設けられた係止部に係止され、前記容器キャップが前記容器の口部に締められ、かつ、前記押圧領域の押圧によって前記扉部が押圧された第２の状態では、前記係合部の先端部は、前記容器の口部の内側面に係止され、前記扉部の端部は、前記格納部に設けられた前記係止部に係止され、前記容器キャップが前記容器の口部から緩められて上方に移動した第３の状態では、前記扉部は、前記格納部の前記係止部への係止が解除された後、開かれ、前記係合部の先端部は、前記容器の口部の内側面へ係止されたままであり、前記容器キャップが前記容器の口部から緩められてさらに上方に移動した第４の状態では、前記係合部の先端部は、前記容器の口部の内側面への係止が解除され、前記扉部は、さらに開かれてもよい。
【００１３】
上記のいずれかの容器キャップにおいて、前記格納部は、複数の部屋に区切られており、前記扉部、前記ロッド部、及び前記押圧領域は、前記各部屋に対応して設けられてもよい。
【００１４】
上記のいずれかの容器キャップにおいて、前記押圧領域の周囲の前記他の領域への接続部の少なくとも一部は、前記本体部の上面よりも低く形成されており、前記押圧領域の中央部は、上方に隆起するように形成されていてもよい。
【００１５】
上記のいずれかの容器キャップにおいて、前記格納部は、複数の部屋に区切られており、前記扉部、前記ロッド部、及び前記押圧領域は、前記各部屋に対応して設けられており、前記回転部が回転することで前記凸部がいずれかの前記部屋に対応する前記押圧領域を押圧してもよい。
【００１６】
上記のいずれかの容器キャップにおいて、前記格納部は、複数の部屋に区切られており、前記扉部、前記ロッド部、前記押圧領域、及び前記凸部は、前記各部屋に対応して設けられており、前記回転部が回転することで前記各凸部が前記各部屋に対応する前記押圧領域を押圧してもよい。
【００１７】
上記のいずれかの容器キャップにおいて、前記回転部の外周に設けられた取っ手部を備えてもよい。
【００１８】
上記のいずれかの容器キャップにおいて、前記本体部の外周に設けられた係止部を備え、前記回転部が回転して前記取っ手部が前記係止部に接することで、前記回転部の回動が制限されてもよい。
【発明の効果】
【００１９】
本発明によれば、容器内に添加物を添加するかどうかをユーザーが選択することができる。
【図面の簡単な説明】
【００２０】
【図１】第１実施形態に係る容器キャップの一例を示す側面図であり、（Ａ）は組み立て前、（Ｂ）は組み立て後を示す。
【図２】回転部の一例を示す図であり、（Ａ）は上面、（Ｂ）及び（Ｃ）は側面、（Ｄ）は下面を示す。
【図３】本体部の一例を示す図であり、（Ａ）は上面、（Ｂ）及び（Ｃ）は側面、（Ｄ）は下面を示す。
【図４】容器キャップの内部構成の一例を示す断面図である。
【図５】押圧領域を拡大して示す断面図である。
【図６】容器キャップの内部構成の一例を示す断面斜視図である。
【図７】容器キャップの動作の一例を説明する断面図である。
【図８】第２実施形態に係る容器キャップの内部構成の一例を示す断面図である。
【図９】本体部の下面を示す図である。
【図１０】容器キャップの動作の一例を説明する断面図である。
【図１１】第３実施形態に係る容器キャップの内部構成の一例を示す断面図である。
【図１２】本体部の下面を示す図である。
【図１３】容器キャップの動作の一例を説明する断面図である。
【図１４】押圧領域の変形例を示す図である。
【図１５】押圧領域の他の変形例を示す図である。
【図１６】凸部の配置の変形例を示す図である。
【図１７】回転部の変形例を示す図である。
【図１８】本体部の変形例を示す図である。
【図１９】取っ手部の位置及び動作の一例を説明する図である。
【図２０】回転軸及び軸受け穴の変形例を示す断面図である。
【発明を実施するための形態】
【００２１】
以下、本発明の複数の実施形態について、図面を参照して説明する。各図は、各実施形態に係る容器キャップの概略構成を示すものである。以下では、容器としてペットボトルを例に挙げて説明する。
【００２２】
＜第１実施形態＞
図１は、第１実施形態に係る容器キャップ１の一例を示す側面図であり、（Ａ）は組み立て前、（Ｂ）は組み立て後を示す。図２は、回転部２０の一例を示す図であり、（Ａ）は上面、（Ｂ）及び（Ｃ）は側面、（Ｄ）は下面を示す。図３は、本体部１０の一例を示す図であり、（Ａ）は上面、（Ｂ）及び（Ｃ）は側面、（Ｄ）は下面を示す。
【００２３】
容器キャップ１は、本体部１０と回転部２０とを組み合わせて構成される。本体部１０は、上面が閉じた円筒状に形成されている。後に図４を用いて詳述するが、本体部１０の内側上部には後述する格納部３０が形成されており、内側下部には容器の口部外周に形成された雄ねじと螺合する雌ねじ１８（図３では省略）が形成されている。回転部２０は、本体部１０の直径と同程度の直径を有する円盤状に形成されている。
【００２４】
本体部１０の上側壁１７の外周には、周方向に沿って溝部１１が形成されている。また、上側壁１７の上面中央には、軸受け穴１２が形成されている。また、上側壁１７の上面中央と外縁の間には、一部の領域に、凹部１３が形成されている。一方、回転部２０の下面外周には、等間隔に４つの引掛部２１が形成されている。また、回転部２０の下面中央には、回転軸２２が設けられている。また、回転部２０の下面中央と外縁の間には、一部の領域に、凸部２３が形成されている。引掛部２１は、凸部２３の傍の１つとそれに向かい合うもう１つの２つだけを設けてもよい。
【００２５】
本実施形態では、凹部１３は、菱形であり（図３の（Ａ））、中心に向かって窪んでいる（図３の（Ｂ）（Ｃ））。一方、凸部２３は、菱形であり（図２の（Ａ）（Ｄ））、中心に向かって隆起している（図２の（Ｂ）（Ｃ））。すなわち、凹部１３は、凸部２３を嵌合できるように、凸部２３の形状に沿った形状となっている。
【００２６】
凸部２３と凹部１３の位置が対応するように本体部１０の上面と回転部２０の下面とを向かい合わせ、回転軸２２を軸受け穴１２に挿入するとともに、凸部２３を凹部１３に嵌合させ、各引掛部２１を溝部１１に引っ掛けることで、回転部２０が本体部１０に回動可能に装着される。
【００２７】
なお、容器キャップ１の素材には、例えば、可撓性のあるポリエチレンやポリプロピレンなどの樹脂を使用できる。従って、回転部２０を本体部１０に押し付けることで、各引掛部２１の鉤状の先端部が溝部１１上方の張り出し部を乗り越えて、溝部１１に入り込むことができる。また、凸部２３が凹部１３から外れた位置であっても、回転部２０が撓ることで、回転部２０を回転させるとともに凸部２３の位置を移動させることができる。
【００２８】
上側壁１７の上面の、軸回転する凸部２３が通過する円環状の領域内には、凹部１３に加え、２つの菱形の押圧領域１４が形成されている。図３の例では、２つの押圧領域１４は、軸受け穴１２を介して互いに線対称に配置されている。凹部１３の中心線と、２つの押圧領域１４の中心線とは、互いに直交する。
【００２９】
後に図４を用いて詳述するが、押圧領域１４の肉厚は、凹部１３を含む他の領域１５と比べて薄く形成されている。従って、凸部２３が押圧領域１４に嵌合すると、その薄肉部が下方（本体部１０の内側）に押圧される。また、後に図４を用いて詳述するが、本体部１０の下側からは格納部３０の底部３２（フランジ部３３、底板部３４、扉部３５、及び係止部３６）が見えている。
【００３０】
図４は、容器キャップ１の内部構成の一例を示す断面図である。図４は、図２及び図３における本体部１０及び回転部２０を組み合わせた状態のＡ−Ａ断面を示している。図４は、凸部２３が凹部１３に嵌合している状態（押圧領域１４が押圧されていない状態）を示している。なお、図４では、断面部分をハッチングで示しているが、図５〜７等の他の断面図ではハッチングを省略して示す。
【００３１】
本体部１０の外周壁１６の内側上部には、格納部３０が形成されており、内側下部には雌ねじ１８が形成されている。格納部３０の内部は、仕切り壁３１によって対称な２つの部屋に分けられている。２つの押圧領域１４は、それぞれ対応する部屋の上面に配置されている。格納部３０の底部３２は、環状のフランジ部３３と、フランジ部３３の内側の円状の底板部３４とから構成されている。フランジ部３３は、外周壁１６の内面から中央に向かって水平方向に延設されている。底板部３４は、中央に向かって下がるように形成されており、底板部３４には、各部屋に対応した２つの扉部３５が設けられている。扉部３５は、底板部３４の一部の領域を開閉可能に底板部３４中央に軸支（軸部３５１）されている。また、フランジ部３３には、各扉部３５の先端部を係止する２つの係止部３６が形成されている。
【００３２】
ここで、扉部３５は、例えば一体成形などにより、開いた状態（例えば扉部３５の先端部が下方垂直に向いた状態）を初期姿勢として形成され、閉じた状態ではその軸部３５１が撓んでおり開く方向に付勢されている。また、閉じた状態では、扉部３５の先端部は、係止部３６の上端面に接触して、開く方向へ動かないように係止されている。
【００３３】
また、各部屋の内部には、それぞれロッド部３７が設けられている。ロッド部３７は、扉部３５に向かって伸びるように押圧領域１４の下面（菱形の中央）に立設されている。ロッド部３７の先端部は、閉じた状態の扉部３５の上面に接する又は近傍に位置する。なお、ロッド部３７の先端部と扉部３５の上面との接触位置は、後述するようにロッド部３７で扉部３５を押下した際に確実に係止が解除されるように、係止部３６よりも中央に近い位置であることが好ましい。
【００３４】
図５は、図４における押圧領域１４及びその周囲を拡大して示す断面図である。図５では、回転部２０は省略している。
【００３５】
上述したように、押圧領域１４の肉厚は、凹部１３を含む他の領域１５と比べて薄く形成されている。押圧領域１４が押圧されていない状態では、押圧領域１４は平坦に保たれ（本体部１０の上面の高さｈ）、ロッド部３７の先端部の高さ位置も維持される。押圧領域１４が凸部２３により押圧されると、押圧領域１４は撓んで下方に隆起し（菱形の中央が最も隆起する）、それに従ってロッド部３７の先端部の高さ位置は下方に下がる。これにより扉部３５が押下され、係止部３６による扉部３５の先端部の係止が解除される。
【００３６】
図６は、容器キャップ１の内部構成の一例を示す断面斜視図である。図６は、図４と同様にＡ−Ａ断面を示しており、（Ａ）は２つの扉部３５が閉じた状態を示し、（Ｂ）は一方の扉部３５が開いた状態（後述する第１の開状態）を示している。なお、図６では、仕切り壁３１は透視可能に示している。
【００３７】
（Ａ）の状態では、凸部２３が凹部１３に嵌合している（図示せず）。この状態でユーザーが回転部２０を摘んで左に９０度回転させると、凸部２３が押圧領域１４に嵌り込む。（Ｂ）の状態では、凸部２３が押圧領域１４に嵌り込むとともにロッド部３７が下方に移動し、これにより扉部３５が押下されて開いている。
【００３８】
図７は、容器キャップ１の動作の一例を説明する断面図である。図７は、図４と同様にＡ−Ａ断面を示しており、（Ａ）は２つの扉部３５が閉じた状態を示し、（Ｂ）は一方の扉部３５が開いた状態（第１の開状態）を示し、（Ｃ）は扉部３５がさらに開いた状態（第２の開状態）を示し、（Ｄ）は扉部３５がさらに開いた状態（第３の開状態）を示している。
【００３９】
本実施形態では、フランジ部３３（係止部３６の部分を除く）の内側端面間の径は、ペットボトルＢの口部の内側端面間の径と一致するように構成されている。また、扉部３５の長さは、閉じた状態で、その先端部がフランジ部３３の内側端面に接するように構成されている。これにより、扉部３５の先端部は、フランジ部３３の内側端面と係止部３６の上面の両方によって係止することができる。
【００４０】
また、本実施形態では、扉部３５の長さは、第１の開状態で、その先端部がペットボトルＢの口部の内側端面に接するように構成される。これにより、扉部３５の先端部は、係止部３６による係止が解除された後、ペットボトルＢの口部の内側端面によってもう一度係止することができる。
【００４１】
（Ａ）：最初に、容器キャップ１がペットボトルＢの口部に対して締められており、かつ、回転部２０が初期位置（凸部２３が凹部１３に嵌合している）に位置する。この状態では、ロッド部３７は押下されていないので、扉部３５は閉じている。このとき、フランジ部３３の下面は、ペットボトルＢの口部の上端面に当接あるいは近接しており、これによりペットボトルＢの内容物の流出が防がれている。
【００４２】
（Ｂ）：次に、ユーザーが回転部２０を摘んで左に９０度回転させると、凸部２３が押圧領域１４に嵌り込んでロッド部３７が下方に移動し、扉部３５が押下される。そして、係止部３６による係止が解除されて、扉部３５が開く。ここで、扉部３５の先端部は、ペットボトルＢの口部の内側端面に引っ掛かり、係止される。このとき、扉部３５は少ししか下方に開いていないため、添加物Ａ（固形物）が格納部３０の部屋から排出されるのが防がれる。扉部３５の先端部は、水平よりも上方を向くのが好ましく、これにより、添加物Ａの外側方向へ移動を制限することができる。なお、ユーザーは、回転部２０を右に９０度回転させて初期位置に戻してもよい。この場合も、扉部３５のペットボトルＢの口部の内側端面に対する係止が維持される。
【００４３】
（Ｃ）〜（Ｄ）：次に、ユーザーが本体部１０を摘んで左に回転させて緩め始めると、容器キャップ１の上昇（図中の白抜き矢印）に伴って、先端部が係止されたまま扉部３５がさらに開き、ある時点でペットボトルＢの口部の内側端面による係止が解除され、扉部３５自体の付勢力によってさらに開く。扉部３５が十分に開くと、添加物Ａが格納部３０の部屋から排出される。
【００４４】
図７では、左側の扉部３５を開く場合を説明した。右側の扉部３５を開く場合は、回転部２０を初期位置から右に９０度回転させた後、本体部１０を緩めればよい。もちろん、いずれの扉部３５も開きたくない場合は、回転部２０を初期位置に置いたまま、本体部１０を緩めればよい。
【００４５】
以上、本発明の第１実施形態について説明した。本実施形態の容器キャップによれば、容器内に添加物を添加するかどうかをユーザーが選択することができる。また、２つの部屋のうち片方の部屋の添加物のみを添加することをユーザーが選択することもできる。
【００４６】
＜第２実施形態＞
第２実施形態に係る容器キャップは、本体部の内部構成が第１実施形態と異なる。以下、第１実施形態と同様の点については説明を省略し、第１実施形態と異なる点を中心に説明する。
【００４７】
図８は、第２実施形態に係る容器キャップ１Ａの内部構成の一例を示す断面図である。図８は、凸部２３が凹部１３に嵌合している状態（押圧領域１４が押圧されていない状態）を示している。図９は、本体部１０Ａの下面を示す図である。なお、図８では、断面部分をハッチングで示しているが、図１０等の他の断面図ではハッチングを省略して示す。
【００４８】
本体部１０Ａは、上面が閉じた円筒状に形成されている。本体部１０Ａの外周壁１６の内側上部には、格納部３０Ａが形成されている。格納部３０Ａの内部は、仕切り壁３１Ａによって対称な２つの部屋に分けられている。２つの押圧領域１４は、それぞれ対応する部屋の上面に配置されている。格納部３０Ａの底部３２Ａは、環状のフランジ部４０と、フランジ部４０の内側の円筒状の筒部４１と、筒部４１の底板部４２とから構成されている。フランジ部４０は、外周壁１６の内面から中央に向かって下方に斜めに延設されている。筒部４１は、フランジ部４０の内側端面に接続されており、下方に垂直に延設されている。底板部４２には、各部屋に対応した２つの扉部４３が設けられている。扉部４３は、底板部４２の一部の領域を開閉可能に底板部４２中央に軸支（軸部４３１）されている。筒部４１の外周には、各扉部４３の先端部に形成された引掛部４４を引掛けるための２つの溝４５（係止部とも呼べる）が形成されている。
【００４９】
ここで、扉部４３は、例えば一体成形などにより、開いた状態（例えば扉部４３の先端部が下方垂直に向いた状態）を初期姿勢として形成され、閉じた状態ではその軸部４３１が撓んでおり開く方向に付勢されている。また、閉じた状態では、扉部４３の引掛部４４は、筒部４１の溝４５に引っ掛かって、開く方向へ動かないように係止されている。
【００５０】
ロッド部３７の先端部は、扉部４３が閉じた状態でその上面に接する又は近傍に位置する。なお、ロッド部３７の先端部と扉部４３の上面との接触位置は、押下方向の力を効率よく伝えるため、扉部４３の先端部近傍であることが好ましい。
【００５１】
フランジ部４０の下面には、筒部４１を囲むように、円筒状の内周壁５０が立設されている。内周壁５０の外径は、ペットボトルＢの口部の内径と同じかやや小さく構成されている。内周壁５０は、容器キャップ１ＡがペットボトルＢに締められた状態で、ペットボトルＢの口部内に挿入される。
【００５２】
内周壁５０と筒部４１の間には、各扉部４３に対応して２つの係合部６０が設けられている。係合部６０は、横方向に長い棒状部材であり、回動（長手方向（本体部の径方向）の往復動作）可能にフランジ部４０の下面に軸支されている。係合部６０の外側端部は、内周壁５０に形成されている貫通孔５１に挿入されている。係合部６０の内側端部は、扉部４３の先端部の下側に位置しており、後述するように扉部４３の先端部の下方向への動きを係止する係止部として機能する。なお、係合部６０の内側端面は、扉部４３の先端部を係止した際に、係合部６０を外側方向へ移動させる力を受けるように、上を向く斜面に形成されている。
【００５３】
図１０は、容器キャップ１Ａの動作の一例を説明する断面図である。図１０は、図８と同じ断面を示しており、（Ａ）は２つの扉部４３が閉じた状態を示し、（Ｂ）及び（Ｃ）は一方の扉部４３が開いた状態（第１の開状態）を示し、（Ｄ）は扉部４３がさらに開いた状態（第２の開状態）を示している。
【００５４】
（Ａ）：最初に、容器キャップ１ＡがペットボトルＢの口部に対して締められており、かつ、回転部２０が初期位置（凸部２３が凹部１３に嵌合している）に位置する。この状態では、ロッド部３７は押下されていないので、引掛部４４が筒部４１の溝４５に引っ掛かっており、扉部４３は閉じている。このとき、内周壁５０より外側のフランジ部４０の下面は、ペットボトルＢの口部の上端面に当接あるいは近接しており、これによりペットボトルＢの内容物の流出が防がれている。また、内周壁５０の外周面は、ペットボトルＢの口部の内周面に当接あるいは近接しており、これによってもペットボトルＢの内容物の流出が防がれている。
【００５５】
（Ｂ）：次に、ユーザーが回転部２０を摘んで左に９０度回転させると、凸部２３が押圧領域１４に嵌り込んでロッド部３７が下方に移動し、扉部４３が押下される。そして、引掛部４４の筒部４１の溝４５に対する係止が解除されて、扉部４３が開く。すると、扉部４３の先端部は、係合部６０の内側端面に受け止められる。このとき、係合部６０は、扉部４３によって外側方向へ押されるが、貫通孔５１を挿通している係合部６０の外側端面がペットボトルＢの口部の内周面に当接し、その外側方向への動きが制限される。これにより、扉部４３の先端部は、係合部６０の内側端面によって係止される。扉部４３は少ししか下方に開いていないため、添加物Ａ２（液体）が格納部３０Ａの部屋から排出されるのが防がれる。なお、ユーザーは、回転部２０を右に９０度回転させて初期位置に戻してもよい。この場合も、扉部４３の係合部６０の内側端面に対する係止が維持される。
【００５６】
（Ｃ）：次に、ユーザーが本体部１０Ａを摘んで左に回転させて緩め始めると、容器キャップ１Ａの上昇（図中の白抜きの矢印）に伴って、係合部６０も上昇する。係合部６０の外側端部がペットボトルＢの口部の上端面を超えるまでは、その外側端面がペットボトルＢの口部の内周面に当接しており、扉部４３の係合部６０の内側端面に対する係止が維持される。
【００５７】
（Ｄ）：その後、さらに容器キャップ１Ａが上昇し、係合部６０の外側端部がペットボトルＢの口部の上端面を超えると、扉部４３の先端部により押されることで係合部６０が外側方向へ移動する。これに伴い、扉部４３の係合部６０の内側端面に対する係止が解除され、扉部４３自体の付勢力によってさらに開く。扉部４３が十分に開くと、添加物Ａ２が格納部３０Ａの部屋から排出される。なお、この状態でも、内周壁５０の下端部はペットボトルＢの口部内に挿入されている。これにより、格納部３０Ａから排出された添加物Ａ２がペットボトルＢの外へ漏れ出すのを防ぐことができる。
【００５８】
図１０では、左側の扉部４３を開く場合を説明した。右側の扉部４３を開く場合は、回転部２０を初期位置から右に９０度回転させた後、本体部１０Ａを緩めればよい。もちろん、いずれの扉部４３も開きたくない場合は、回転部２０を初期位置に置いたまま、本体部１０Ａを緩めればよい。
【００５９】
以上、本発明の第２実施形態について説明した。本実施形態の容器キャップによれば、第１実施形態と同様の効果を得られる。また、ペットボトルＢの内容物や添加物がペットボトルＢの外へ漏れ出すのをより効果的に防ぐことができる。
【００６０】
＜第３実施形態＞
第３実施形態に係る容器キャップは、本体部の内部構成が第２実施形態と異なる。以下、第２実施形態と同様の点については説明を省略し、第２実施形態と異なる点を中心に説明する。
【００６１】
図１１は、第３実施形態に係る容器キャップ１Ｇの内部構成の一例を示す断面図である。図１１は、凸部２３が凹部１３に嵌合している状態（押圧領域１４が押圧されていない状態）を示している。図１２は、本体部１０Ｇの下面を示す図である。なお、図１１では、断面部分をハッチングで示しているが、図１３等の他の断面図ではハッチングを省略して示す。
【００６２】
本体部１０Ｇは、上面が閉じた円筒状に形成されている。本体部１０Ｇの外周壁１６の内側上部には、格納部３０Ｇが形成されている。格納部３０Ｇの内部は、仕切り壁３１Ｇによって対称な２つの部屋に分けられている。２つの押圧領域１４は、それぞれ対応する部屋の上面に配置されている。格納部３０Ｇの底部３２Ｇは、環状のフランジ部４０Ｇと、フランジ部４０Ｇの内側の円筒状の筒部４１Ｇと、筒部４１Ｇの底板部４２Ｇとから構成されている。フランジ部４０Ｇは、外周壁１６の内面から中央に向かって下方に斜めに延設されている。筒部４１Ｇは、フランジ部４０Ｇの内側端面に接続されており、下方に垂直に延設されている。底板部４２Ｇは、中央に向かって下がるように形成されており、底板部４２Ｇには、各部屋に対応した２つの扉部４３Ｇが設けられている。扉部４３Ｇは、底板部４２Ｇの一部の領域を開閉可能に底板部４２Ｇ中央に軸支されている。各扉部４３Ｇの先端部には、外側に向かって伸びる棒状の係合部４３２が形成されている。係合部４３２の上面には、引掛部４４Ｇが立設されている。筒部４１Ｇの外周には、各扉部４３Ｇの引掛部４４Ｇを引掛けるための２つの溝４５Ｇ（係止部とも呼べる）が形成されている。
【００６３】
ここで、扉部４３Ｇは、例えば一体成形などにより、開いた状態（例えば扉部４３Ｇの先端部が下方垂直に向いた状態）を初期姿勢として形成され、閉じた状態ではその軸部が撓んでおり開く方向に付勢されている。また、閉じた状態では、扉部４３Ｇの引掛部４４Ｇは、筒部４１Ｇの溝４５Ｇに引っ掛かって、開く方向へ動かないように係止されている。また、後述するように、閉じた状態では、扉部４３Ｇの係合部４３２の先端部は、ペットボトルＢの口部の内側端面に接し、開く方向へ動かないように係止されている。
【００６４】
ロッド部３７の先端部は、扉部４３Ｇが閉じた状態でその上面に接する又は近傍に位置する。なお、ロッド部３７の先端部と扉部４３Ｇの上面との接触位置は、押下方向の力を効率よく伝えるため、扉部４３Ｇの先端部近傍であることが好ましい。
【００６５】
フランジ部４０Ｇの下面には、筒部４１Ｇを囲むように、円筒状の内周壁５０Ｇが立設されている。内周壁５０Ｇの外径は、ペットボトルＢの口部の内径と同じかやや小さく構成されている。内周壁５０Ｇは、容器キャップ１ＧがペットボトルＢに締められた状態で、ペットボトルＢの口部内に挿入される。内周壁５０Ｇには、各係合部４３２の先端部が挿入された状態で上下方向に移動できるように、各係合部４３２に対応して２つのスリット５１Ｇが形成されている。
【００６６】
図１３は、容器キャップ１Ｇの動作の一例を説明する断面図である。図１３は、図１１と同じ断面を示しており、（Ａ）及び（Ｂ）は２つの扉部４３Ｇが閉じた状態を示し、（Ｃ）は一方の扉部４３Ｇが開いた状態（第１の開状態）を示し、（Ｄ）は扉部４３Ｇがさらに開いた状態（第２の開状態）を示している。
【００６７】
本実施形態では、扉部４３Ｇ及び係合部４３２の長さは、閉じた状態及び第１の開状態で、係合部４３２の先端部がスリット５１Ｇを通じてペットボトルＢの口部の内側端面に接するように構成される。
【００６８】
（Ａ）：最初に、容器キャップ１ＧがペットボトルＢの口部に対して締められており、かつ、回転部２０が初期位置（凸部２３が凹部１３に嵌合している）に位置する。この状態では、ロッド部３７は押下されていないので、引掛部４４Ｇが筒部４１Ｇの溝４５Ｇに引っ掛かっているとともに、係合部４３２の先端部がペットボトルＢの口部の内側端面に引っ掛かっており、扉部４３Ｇは閉じている。このとき、内周壁５０Ｇより外側のフランジ部４０Ｇの下面は、ペットボトルＢの口部の上端面に当接あるいは近接しており、これによりペットボトルＢの内容物の流出が防がれている。また、内周壁５０Ｇの外周面は、ペットボトルＢの口部の内周面に当接あるいは近接しており、これによってもペットボトルＢの内容物の流出が防がれている。
【００６９】
（Ｂ）：次に、ユーザーが回転部２０を摘んで左に９０度回転させると、凸部２３が押圧領域１４に嵌り込んでロッド部３７が下方に移動し、扉部４３Ｇが押下される。このとき、引掛部４４Ｇの溝４５Ｇに対する係止と、係合部４３２の先端部のペットボトルＢの口部の内側端面に対する係止とは、解除されず、扉部４３Ｇは閉じた状態で維持される。ロッド部３７は撓み、扉部４３Ｇはロッド部３７からの下方向への力を受け続ける。
【００７０】
（Ｃ）：次に、ユーザーが本体部１０Ｇを摘んで左に回転させて緩め始めると、容器キャップ１Ｇの上昇（図中の白抜きの矢印）に伴って、係合部４３２の先端部が係止されたまま下方へ引っ張られる。さらに、ロッド部３７からの下方向の力によって扉部４３Ｇが押下され、引掛部４４Ｇの溝４５Ｇに対する係止が解除されて、扉部４３Ｇが開く。
【００７１】
（Ｄ）：その後、さらに容器キャップ１Ｇが上昇すると、容器キャップ１Ｇの上昇（図中の白抜き矢印）に伴って、係合部４３２の先端部が係止されたまま扉部４３Ｇがさらに開き、ある時点でペットボトルＢの口部の内側端面による係止が解除され、扉部４３Ｇ自体の付勢力によってさらに開く。扉部４３Ｇが十分に開くと、添加物Ａ２が格納部３０Ｇの部屋から排出される。なお、この状態でも、内周壁５０Ｇの下端部はペットボトルＢの口部内に挿入されている。これにより、格納部３０Ｇから排出された添加物Ａ２がペットボトルＢの外へ漏れ出すのを防ぐことができる。
【００７２】
図１３では、左側の扉部４３Ｇを開く場合を説明した。右側の扉部４３Ｇを開く場合は、回転部２０を初期位置から右に９０度回転させた後、本体部１０Ｇを緩めればよい。もちろん、いずれの扉部４３Ｇも開きたくない場合は、回転部２０を初期位置に置いたまま、本体部１０Ｇを緩めればよい。
【００７３】
以上、本発明の第３実施形態について説明した。本実施形態の容器キャップによれば、第２実施形態と同様の効果を得られる。また、第２実施形態の係合部６０のような可動部品を設ける必要がなく、より簡易な構造を実現することができる。
【００７４】
＜変形例＞
上述の各実施形態に適用可能ないくつかの変形例を説明する。以下、各実施形態と同様の点については説明を省略し、各実施形態と異なる点を中心に説明する。
【００７５】
図１４は、押圧領域の変形例を示す図である。図１４では、回転部２０は省略している。
【００７６】
押圧領域１４Ｂの肉厚は、凹部１３を含む他の領域１５と比べて薄く形成されている。押圧領域１４Ｂの他の領域１５への接続部（押圧領域１４Ｂの周囲）は、高さｈよりも低く形成されている。また、押圧領域１４Ｂが押圧されていない状態では、中央部が高さｈまで隆起するように形成されている。図示していないが、この状態で、ロッド部３７の先端部は、閉じた状態の扉部３５の上面に接する又は近傍に位置する。
【００７７】
押圧領域１４Ｂが凸部２３により押圧されると、押圧領域１４Ｂは撓んで下方に隆起し、それに従ってロッド部３７の先端部の高さ位置は下方に下がる（図中の破線）。この押圧領域１４Ｂは、上述の実施形態の押圧領域１４と比べて、上下方向の可動範囲を大きくとることができる。従って、凸部２３の上下方向の寸法を長く設計すれば、ロッド部３７の下方向への移動量及び扉部３５の押下量を増加させることができる。
【００７８】
図１５は、押圧領域の他の変形例を示す図である。図１５では、回転部２０は省略している。
【００７９】
押圧領域１４Ｃの肉厚は、凹部１３を含む他の領域１５と比べて薄く形成されている。押圧領域１４Ｃの他の領域１５への接続部の一部（押圧領域１４Ｃの周囲の一部）は、高さｈよりも低く形成されている。図では、ロッド部３７の接続位置よりも外側で低く形成されている。また、押圧領域１４Ｃが押圧されていない状態では、中央部が高さｈまで隆起するように形成されている。図示していないが、この状態で、ロッド部３７の先端部は、閉じた状態の扉部３５の上面に接する又は近傍に位置する。
【００８０】
押圧領域１４Ｃが凸部２３により押圧されると、押圧領域１４Ｃは撓んで下方に隆起し、それに従ってロッド部３７の先端部の高さ位置は下方に下がる（図中の破線）。この押圧領域１４Ｃは、上述の実施形態の押圧領域１４と比べて、上下方向の可動範囲を大きくとることができる。従って、凸部２３の上下方向の寸法を長く設計すれば、ロッド部３７の下方向への移動量及び扉部３５の押下量を増加させることができる。ただし、押圧領域１４Ｃの上下方向の可動範囲は、上述の変形例の押圧領域１４Ｂよりは小さい。
【００８１】
図１６は、凸部の配置の変形例を示す図である。（Ａ）は回転部の下面、（Ｂ）は本体部の上面を示す。
【００８２】
回転部２０Ｄの下面には、回転軸２２を介して互いに線対称の位置に２つの凸部２３が形成されている。本体部１０Ｄの上側壁１７の上面には、２つの凸部２３に対応して、２つの凹部１３が形成されている。また、これらの凹部１３の中心線と直交する方向に、２つの押圧領域１４が形成されている。
【００８３】
回転部２０Ｄの初期位置では、２つの凸部２３は、それぞれ対応する凹部１３に嵌合する。回転部２０Ｄを、初期位置から右又は左に９０度回転させることで、２つの部屋の押圧領域１４をほぼ同時に押圧して２つの扉部３５を開けることができる。
【００８４】
図１７は、回転部の変形例を示す図であり、（Ａ）は上面、（Ｂ）及び（Ｃ）は側面を示す。図１８は、本体部の変形例を示す図であり、（Ａ）は上面、（Ｂ）及び（Ｃ）は側面を示す。
【００８５】
回転部２０Ｅの外周には、２つの取っ手部７１、７２が設けられている。本体部１０Ｅの外周壁１６の外側上部には、係止部８０が設けられている。各取っ手部７１、７２は、ユーザーが指を引っ掛け易いように、回転部２０Ｅの径方向に突出している。また、各取っ手部７１、７２の下端部は、回転部２０Ｅを回転させた際に係止部８０によって係止されるように、回転部２０Ｅの下面よりもさらに下方向に突出している。
【００８６】
図１９は、取っ手部の位置及び動作の一例を説明する図である。（Ａ）は、回転部２０Ｅが初期位置（凸部２３が凹部１３に嵌合している）に位置する状態、（Ｂ）は、回転部２０Ｅが左に９０度回転した状態、（Ｃ）は、回転部２０Ｅがさらに左に９０度回転した状態、（Ｄ）は、回転部２０Ｅがさらに左に９０度回転した状態を、示す。
【００８７】
係止部８０は、本体部１０Ｅ上面の凹部１３が配置されている半径上の外側に配置されている。（Ａ）の状態では、取っ手部７１は、その下端部の側面が係止部８０の側面と対向して当接あるいは近接するように配置されている。これにより、回転部２０Ｅの右回転が制限される。取っ手部７２は、係止部８０から左回り９０度よりやや小さい回転角の位置に配置されている。
【００８８】
（Ｂ）〜（Ｃ）の状態では、取っ手部７１、７２は、係止部８０に係止されることなく、自由に回転する。（Ｄ）の状態では、取っ手部７２は、その下端部の側面が係止部８０の側面と対向して当接あるいは近接するように配置されている。これにより、回転部２０Ｅの左回転が制限される。
【００８９】
このように、図１７〜１９の例では、回転部２０Ｅの回転は、初期位置から左に２７０度の範囲内に制限される。なお、（Ａ）の状態の取っ手部７１と係止部８０の位置関係は、回転部２０Ｅを本体部１０Ｅに対して初期位置で装着する際の目印として利用することもできる。
【００９０】
図２０は、回転軸及び軸受け穴の変形例を示す断面図である。（Ａ）は組み立て前、（Ｂ）は組み立て後を示す。
【００９１】
回転軸２２Ｆの先端は、鉤状に形成されている。一方、軸受け穴１２Ｆには、その内周面に沿って回転軸２２Ｆの鉤状部を引掛けるための溝が形成されている。回転軸２２Ｆを軸受け穴１２Ｆに挿入すると、回転軸２２Ｆの鉤状部が軸受け穴１２Ｆの溝部に引っ掛かり、抜けが防止される。本変形例では、引掛部２１は、凸部２３の傍の１つとそれに向かい合うもう１つの２つだけを設けてもよい。
【００９２】
さらに他の変形例としては、上述の実施形態では、格納部３０内は２つの部屋に区切られているが、部屋は１つでもよいし３つ以上に区切られていてもよい。押圧領域１４、扉部３５、ロッド部３７等の構成要素は、各部屋に対応して設けられればよい。
【００９３】
さらに他の変形例としては、上述の第１実施形態に係る本体部１０は、第３実施形態と同様に、内周壁（扉部３５の先端部が挿入された状態で上下方向に移動できるスリットを有する）を備えてもよい。また、さらに他の変形例としては、第２実施形態に係る本体部１０Ａ及び第３実施形態に係る本体部１０Ｇは、内周壁を省略してもよい。
【００９４】
本発明は、上記の実施形態（及び変形例）に限定されず、本発明の要旨の範囲内で種々の変形実施が可能であり、それらの態様を含むものである。ある実施形態の一部の構成要素を、他の実施形態に加えたり、他の実施形態の一部の構成要素と置換したりしてもよい。ある実施形態の構成要素のうち、一部の構成要素を省略することもできる。
【００９５】
なお、容器キャップの各構成要素の配置、寸法、形状等の構成は、本発明の目的を達成できれば、上記に説明あるいは図示した例に限られない。また例えば、「直角」、「垂直」、「水平」などの構成要素の関係や形状を表す言葉を用いているが、言葉どおりの厳密な意味に限られず、その意味と実質的に同一な場合（すなわち、本発明の効果を発揮できる場合）も含むことができる。
【００９６】
本発明は、いわゆるペットボトルに限らず、様々な材質や形状の容器に適用できる。また、容器の内容物は、飲料に限らず調味料や食品や薬品であってもよいし、液体に限らず粒状物や固形物であってもよい。また、添加物は、飲料に限らず調味料や食品や薬品であってもよいし、固形物や液体に限らず、粒状物などであってもよい。
【符号の説明】
【００９７】
１（１Ａ、１Ｇ）…容器キャップ、１０（１０Ａ〜１０Ｇ）…本体部、１１…溝部、１２（１２Ｆ）…軸受け穴、１３…凹部、１４（１４Ｂ、１４Ｃ）…押圧領域、１５…領域、１６…外周壁、１７…上側壁、２０（２０Ｄ〜２０Ｆ）…回転部、２１…引掛部、２２（２２Ｆ）…回転軸、２３…凸部、３０（３０Ａ、３０Ｇ）…格納部、３１（３１Ａ、３１Ｇ）…仕切り壁、３２（３２Ａ、３２Ｇ）…底部、３３…フランジ部、３４…底板部、３５…扉部、３６…係止部、３７…ロッド部、４０（４０Ｇ）…フランジ部、４１（４１Ｇ）…筒部、４２（４２Ｇ）…底板部、４３（４３Ｇ）…扉部、４４（４４Ｇ）…引掛部、４５（４５Ｇ）…溝、５０（５０Ｇ）…内周壁、５１…貫通孔、５１Ｇ…スリット、６０…係合部、７１…取っ手部、７２…取っ手部、８０…係止部、Ａ（Ａ２）…添加物、Ｂ…ペットボトル、３５１…軸部、４３１…軸部、４３２…係合部
【図１】
2019043585.tif 000003
【図２】
2019043585.tif 000004
【図３】
2019043585.tif 000005
【図４】
2019043585.tif 000006
【図５】
2019043585.tif 000007
【図６】
2019043585.tif 000008
【図７】
2019043585.tif 000009
【図８】
2019043585.tif 000010
【図９】
2019043585.tif 000011
【図１０】
2019043585.tif 000012
【図１１】
2019043585.tif 000013
【図１２】
2019043585.tif 000014
【図１３】
2019043585.tif 000015
【図１４】
2019043585.tif 000016
【図１５】
2019043585.tif 000017
【図１６】
2019043585.tif 000018
【図１７】
2019043585.tif 000019
【図１８】
2019043585.tif 000020
【図１９】
2019043585.tif 000021
【図２０】
2019043585.tif 000022
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
容器キャップであって、
上面が閉じた円筒状の本体部と、
前記本体部の内側上部に設けられ、添加物を格納する格納部と、
前記格納部の底部に開閉可能に設けられた扉部と、
前記格納部内で、前記本体部の上側壁の下面に前記扉部に向かって伸びるように立設されたロッド部と、を備え、
前記上側壁に設けられた押圧領域が押圧されることで前記ロッド部が下方に移動し、前記ロッド部の先端部が前記扉部を押下することで前記扉部が下方に開かれ、
前記本体部の上面に回動可能に設けられた回転部と、
前記回転部の下面に設けられた凸部と、を備え、
前記回転部が所定位置から回転して前記凸部が前記押圧領域に嵌り込むことで前記押圧領域が押圧される
容器キャップ。
【請求項２】
請求項１に記載の容器キャップであって、
前記押圧領域は、前記上側壁の他の領域よりも薄肉に形成されており、
前記ロッド部は、前記押圧領域に立設されている
容器キャップ。
【請求項３】
請求項１に記載の容器キャップであって、
前記本体部の上面に設けられた凹部を備え、
前記回転部が所定位置にあるとき前記凸部が前記凹部に嵌合している
容器キャップ。
【請求項４】
容器キャップであって、
上面が閉じた円筒状の本体部と、
前記本体部の内側上部に設けられ、添加物を格納する格納部と、
前記格納部の底部に開閉可能に設けられた扉部と、
前記格納部内で、前記本体部の上側壁の下面に前記扉部に向かって伸びるように立設されたロッド部と、を備え、
前記上側壁に設けられた押圧領域が押圧されることで前記ロッド部が下方に移動し、前記ロッド部の先端部が前記扉部を押下することで前記扉部が下方に開かれ、
前記容器キャップが容器の口部に締められ、かつ、前記押圧領域が押圧されていない第１の状態では、前記扉部の端部は、前記格納部に設けられた係止部に係止され、
前記容器キャップが前記容器の口部に締められ、かつ、前記押圧領域の押圧によって前記扉部が押圧された第２の状態では、前記扉部の端部は、前記係止部への係止が解除された後、前記容器の口部の内側面に引っ掛かって係止され、
前記容器キャップが前記容器の口部から緩められて上方に移動した第３の状態では、前記扉部の端部は、前記容器の口部の内側面への係止が解除され、前記扉部は、開かれる
容器キャップ。
【請求項５】
容器キャップであって、
上面が閉じた円筒状の本体部と、
前記本体部の内側上部に設けられ、添加物を格納する格納部と、
前記格納部の底部に開閉可能に設けられた扉部と、
前記格納部内で、前記本体部の上側壁の下面に前記扉部に向かって伸びるように立設されたロッド部と、を備え、
前記上側壁に設けられた押圧領域が押圧されることで前記ロッド部が下方に移動し、前記ロッド部の先端部が前記扉部を押下することで前記扉部が下方に開かれ、
前記本体部の外周壁の内側に、前記格納部の底部に設けられた内周壁と、
前記格納部の底部に前記本体部の径方向に移動可能に設けられ、外側端部が前記内周壁に設けられた貫通孔に挿入され、内側端部が前記扉部の下方に位置する係合部と、を備え、
前記容器キャップが容器の口部に締められ、かつ、前記押圧領域が押圧されていない第１の状態では、前記扉部の端部は、前記格納部に設けられた係止部に係止され、
前記容器キャップが前記容器の口部に締められ、かつ、前記押圧領域の押圧によって前記扉部が押圧された第２の状態では、前記扉部の端部は、前記係止部への係止が解除された後、前記係合部の内側端部によって係止され、前記係合部の外側端部は、前記貫通孔を通じて前記容器の口部の内側面に当接して外側方向への移動が制限され、
前記容器キャップが前記容器の口部から緩められて上方に移動し、かつ、前記貫通孔が前記容器の口部の上端面よりも高い第３の状態では、前記係合部の外側端部は、前記貫通孔を通じて外側方向へ移動し、前記扉部の端部は、前記係合部の内側端部への係止が解除され、前記扉部は、開かれる
容器キャップ。
【請求項６】
容器キャップであって、
上面が閉じた円筒状の本体部と、
前記本体部の内側上部に設けられ、添加物を格納する格納部と、
前記格納部の底部に開閉可能に設けられた扉部と、
前記格納部内で、前記本体部の上側壁の下面に前記扉部に向かって伸びるように立設されたロッド部と、を備え、
前記上側壁に設けられた押圧領域が押圧されることで前記ロッド部が下方に移動し、前記ロッド部の先端部が前記扉部を押下することで前記扉部が下方に開かれ、
前記本体部の外周壁の内側に、前記格納部の底部に設けられた内周壁と、
前記扉部の端部に設けられ、先端部が前記内周壁に設けられた上下方向のスリットに挿入される係合部と、を備え、
前記容器キャップが容器の口部に締められ、かつ、前記押圧領域が押圧されていない第１の状態では、前記係合部の先端部は、前記スリットを通じて前記容器の口部の内側面に係止され、前記扉部の端部は、前記格納部に設けられた係止部に係止され、
前記容器キャップが前記容器の口部に締められ、かつ、前記押圧領域の押圧によって前記扉部が押圧された第２の状態では、前記係合部の先端部は、前記容器の口部の内側面に係止され、前記扉部の端部は、前記格納部に設けられた前記係止部に係止され、
前記容器キャップが前記容器の口部から緩められて上方に移動した第３の状態では、前記扉部は、前記格納部の前記係止部への係止が解除された後、開かれ、前記係合部の先端部は、前記容器の口部の内側面へ係止されたままであり、
前記容器キャップが前記容器の口部から緩められてさらに上方に移動した第４の状態では、前記係合部の先端部は、前記容器の口部の内側面への係止が解除され、前記扉部は、さらに開かれる
容器キャップ。
【請求項７】
請求項１〜３のいずれか一項に記載の容器キャップであって、
前記格納部は、複数の部屋に区切られており、
前記扉部、前記ロッド部、及び前記押圧領域は、前記各部屋に対応して設けられる
容器キャップ。
【請求項８】
請求項２に記載の容器キャップであって、
前記押圧領域の周囲の前記他の領域への接続部の少なくとも一部は、前記本体部の上面よりも低く形成されており、
前記押圧領域の中央部は、上方に隆起するように形成されている
容器キャップ。
【請求項９】
請求項１又は３に記載の容器キャップであって、
前記格納部は、複数の部屋に区切られており、
前記扉部、前記ロッド部、及び前記押圧領域は、前記各部屋に対応して設けられており、
前記回転部が回転することで前記凸部がいずれかの前記部屋に対応する前記押圧領域を押圧する
容器キャップ。
【請求項１０】
請求項１又は３に記載の容器キャップであって、
前記格納部は、複数の部屋に区切られており、
前記扉部、前記ロッド部、前記押圧領域、及び前記凸部は、前記各部屋に対応して設けられており、
前記回転部が回転することで前記各凸部が前記各部屋に対応する前記押圧領域を押圧する
容器キャップ。
【請求項１１】
請求項１又は３に記載の容器キャップであって、
前記回転部の外周に設けられた取っ手部
を備える容器キャップ。
【請求項１２】
請求項１１に記載の容器キャップであって、
前記本体部の外周に設けられた係止部を備え、
前記回転部が回転して前記取っ手部が前記係止部に接することで、前記回転部の回動が制限される
容器キャップ。